(57)【要約】【課題】１つのアンテナで携帯電話での通信に加えて、地上波テレビジョン放送の受信を行う。この際、携帯電話のみを使う場合においてアンテナ回路のロスを小さくする。【解決手段】アンテナ１からの信号を選択的に出力端子６または出力端子７に切り替える切り替え回路４と、この切り替え回路４の出力端子６を第１のフィルタ２に接続して第１出力に接続し、出力端子７を直接第２の出力に接続し、出力端子７とアンテナ１からの入力信号との間に第２のフィルタ３を接続したアンテナ回路である。【選択図】  図１
2004289595.tif 000002
【特許請求の範囲】
【請求項１】
アンテナからの信号を選択的に２つの信号に分岐する出力端を２つ有する切り替え回路の入力端と一方の出力端の間にフィルタを設けた高周波信号を送受信するアンテナ回路。
【請求項２】
アンテナからの信号を選択的に第１の出力端子または第２の出力端子に切り替える切り替え回路と、この切り替え回路の第１の出力端子を第１のフィルタに接続して第１出力に接続し、第２の出力端子を直接第２の出力に接続し、この第２の出力端子とアンテナからの入力信号との間に第２のフィルタを接続した請求項１に記載のアンテナ回路。
【請求項３】
切り替え回路をスイッチ回路で構成した請求項１に記載のアンテナ回路。
【請求項４】
第１のフィルタは地上波テレビジョン周波数帯を通過帯域とする請求項１に記載のアンテナ回路。
【請求項５】
第２のフィルタは携帯電話の送信・受信周波数帯を通過帯域とする請求項１に記載のアンテナ回路。
【請求項６】
第２出力と切り替え回路の第２端子の間に増幅回路を直列接続した請求項１に記載のアンテナ回路。
【請求項７】
増幅回路を可変増幅回路とした請求項６に記載のアンテナ回路。
【発明の詳細な説明】
【０００１】
【発明の属する技術分野】
本発明は本来の機能である携帯電話での通信に加えて地上波テレビジョン放送の受信を行う携帯端末に用いるアンテナ回路に関するものである。
【０００２】
【従来の技術】
従来、アンテナの出力を異なる周波数に分けて後段の回路に供給する回路の一例を図４に示す。図４は携帯電話のデュプレクサフィルタである。デュプレクサフィルタはアンテナ１０からの信号を切り替え回路４０に入る切り替え信号５０で携帯電話の送信周波数を通過帯域にする第１のフィルタ２０と、携帯電話の受信周波数を通過帯域にする第２のフィルタ３０とで送受信信号を切り分け出力１０１，１０２を出力する構成としている。
【０００３】
なお、この出願の発明に関連する先行技術文献情報としては、例えば特許文献１が知られている。
【０００４】
【特許文献１】
特開２００２−２５２５６７号公報
【０００５】
【発明が解決しようとする課題】
しかし、携帯電話（送信および受信）と地上波ＴＶの放送の２信号に分岐する場合、アンテナ１０の出力に第１のフィルタ２０、第２のフィルタ３０が並列に接続されるためロスが大きくなるという問題点がある。
【０００６】
Ｂｅｈｅｚａｄ  Ｒａｚａｖｉ  ”ＲＦ  Ｍｉｃｒｏｅｌｅｃｔｒｏｎｉｃｓ”  ｐｐ１０３−１０４によるとデュプレクサフィルタ形式のロスは２〜３ｄＢと大きくなる。そのため地上波テレビジョン放送の受信を行っていない場合であっても携帯電話の通信性能が著しく悪化するという現象があった。
【０００７】
本発明は以上のような従来の欠点を除去し、１つのアンテナで携帯電話での通信と地上波テレビジョン放送の受信が可能で、ロスの少ないアンテナ回路を提供することを目的とする。
【０００８】
【課題を解決するための手段】
本発明の請求項１に記載の発明は、アンテナからの信号を選択的に２つの信号に分岐する出力端を２つ有する切り替え回路の入力端と一方の出力端の間にフィルタを設けた高周波信号を送受信するアンテナ回路であり、携帯電話のみを使う場合においてアンテナ回路のロスを小さくすることができる。
【０００９】
本発明の請求項２に記載の発明は、アンテナからの信号を選択的に第１の出力端子または第２の出力端子に切り替える切り替え回路と、この切り替え回路の第１の出力端子を第１のフィルタに接続して第１出力に接続し、第２の出力端子を直接第２の出力に接続し、この第２の出力端子とアンテナからの入力信号との間に第２のフィルタを接続した請求項１に記載のアンテナ回路であり、携帯電話のみを使う場合においてアンテナ回路のロスを小さくすることができる。
【００１０】
本発明の請求項３に記載の発明は、切り替え回路をスイッチ回路で構成した請求項１に記載のアンテナ回路であり、携帯電話のみを使う場合においてアンテナ回路のロスを小さくすることができる。
【００１１】
本発明の請求項４に記載の発明は、第１のフィルタは地上波テレビジョン周波数帯を通過帯域とする請求項１に記載のアンテナ回路であり、携帯電話のみを使う場合においてアンテナ回路のロスを小さくすることができる。
【００１２】
本発明の請求項５に記載の発明は、第２のフィルタは携帯電話の送信・受信周波数帯を通過帯域とする請求項１に記載のアンテナ回路であり、携帯電話のみを使う場合においてアンテナ回路のロスを小さくすることができる。
【００１３】
本発明の請求項６に記載の発明は、第２出力と切り替え回路の第２端子の間に増幅回路を直列接続した請求項１に記載のアンテナ回路であり、携帯電話機能のみを使用中に電界レベルを一定に保てる。
【００１４】
本発明の請求項７に記載の発明は、増幅回路を可変増幅回路とした請求項６に記載のアンテナ回路であり、携帯電話機能のみを使用中に電界レベルを一定に保てる。
【００１５】
【発明の実施の形態】
以下、本発明の実施の形態について、図面を用いて説明する。
【００１６】
（実施の形態１）
図１において、１は携帯電話の送信・受信と地上波テレビジョン放送を受信するアンテナ、４はアンテナ１からの信号を切り替え信号に応じて切り替える切り替え回路、この切り替え回路４にはアンテナ信号を入力する入力端子５とアンテナ信号を切り替えて信号出力する出力端子６，７を有している。２は地上波テレビジョン放送の周波数帯を通過帯域とする第１のフィルタ、３は携帯電話の送信・受信周波数帯を通過帯域とする第２のフィルタである。
【００１７】
フィルタ回路の周波数特性例を図３（ｂ）に示す。２１は地上波テレビジョン放送の周波数帯（９０ＭＨｚ〜７７０ＭＨｚ）、１９は地上波テレビジョン放送の周波数帯を通過帯域とする第１のフィルタ２の周波数特性を示す。２２はＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）方式の携帯電話の送信周波数帯、２３は同受信周波数帯、２０はＧＳＭ方式の携帯電話の送信および受信信号の周波数帯を通過帯域とする第２のフィルタ３の周波数特性を示す。
【００１８】
図３（ａ）は切り替え回路４の具体回路例である。負荷抵抗１３、コンデンサ９，１０、ＰＩＮダイオード１７、負荷インダクタ１４から構成されるスイッチ回路２４と、負荷抵抗１５、コンデンサ１１，１２、ＰＩＮダイオード１８、負荷インダクタ１６から構成されるスイッチ回路２５と、切り替え信号に応じてＰＩＮダイオード１７，１８のＯＮ／ＯＦＦを選択的に行うバッファ回路８から構成される。切り替え信号が高のときは、ＰＩＮダイオード１７がＯＮ、ＰＩＮダイオード１８がＯＦＦになり、第１の出力端子に入力端子５に入力された信号が出力される。切り替え信号が低のときはＰＩＮダイオード１８がＯＮ、ＰＩＮダイオード１７がＯＦＦになり第２の出力端子に入力端子５に入力された信号が出力される。
【００１９】
まず、携帯電話での通信と地上波テレビジョン放送受信を同時に行う場合について説明する。アンテナ１は切り替え回路４と第２のフィルタ３に高周波的に接続される。切り替え回路４は出力端子６を選択し入力端子５に加えられた信号を出力する。出力端子６の信号は第１のフィルタ２で帯域制限されることにより地上波テレビジョン放送帯の信号のみが出力（１）に出力される。携帯電話の受信には、アンテナ１の出力信号が第２のフィルタ３で帯域制限されることにより携帯電話の送信・受信周波数帯の信号のみが出力（１）に出力される。また送信時には出力（２）に加えられた信号は第２のフィルタ３で帯域制限された後、アンテナ１より発射される。この場合に出力（１）に接続される地上波テレビジョン放送受信回路と、出力（２）に接続される携帯電話回路は第１のフィルタ２、第２のフィルタ３で周波数的に分離されているので相互の妨害は最小限に抑えられている。
【００２０】
次に、携帯電話のみを用いる場合について説明する。アンテナ１の出力信号は切り替え回路４と第２のフィルタ３に入力される。切り替え回路４は出力端子７を選択し入力端子５に加えられた信号を入出力する。携帯電話の受信時には、出力端子７の信号は第２のフィルタ３の信号と合わさり出力（２）に出力される。携帯電話の送信時には、出力（２）に加えられた信号は、切り替え回路４と第２のフィルタ３を通過しアンテナより発射される。ＰＩＮダイオードで構成した切り替え回路４のロスはフィルタに比べ小さく無視することが可能であるので送受信時におけるロスは携帯電話での通信と地上波テレビジョン放送受信を同時に行う場合に比べ小さくすることができる。
【００２１】
図２において、３０は切り替え信号に応じて利得を変えることのできる可変増幅器、３１は第２の切り替え回路である。第２の切り替え回路３１は受信のとき端子３２を端子３４と導通し、送信のとき端子３４と端子３３を導通する。切り替え回路４が出力端子６を選択しているときのアンテナ１から可変増幅器３０の入力までの利得はほぼ第２のフィルタ３の利得に近く、切り替え回路４が出力端子７を選択しているときのアンテナ１から可変増幅器３０の入力までの利得は切り替え回路４の利得に近くほぼ０ｄＢである。今この第２のフィルタ３のロスの差をＸとする。携帯電話の受信時において切り替え回路４が出力端子６を選択しているとき、可変増幅器３０の利得をＸｄＢ高くするよう設定すると携帯電話受信時において第２のフィルタ３でのロスを補償できるため、出力（２）の電界レベルを一定に保てるので出力（２）の後段につく携帯電話の受信回路の利得を切り替え回路４の状態により変える必要がない。
【００２２】
【発明の効果】
以上のように本発明によれば、１つのアンテナで携帯電話での通信に加えて地上波テレビジョン放送の受信を行うことができるだけでなく、携帯電話のみを使う場合においてアンテナ回路のロスを小さくすることができる。
【図面の簡単な説明】
【図１】本発明の実施の形態１におけるアンテナ回路のブロック図
【図２】本発明の実施の形態１における別のアンテナ回路のブロック図
【図３】（ａ）本発明の実施の形態１における切り替え回路の回路図
（ｂ）本発明の実施の形態１におけるフィルタの周波数特性図
【図４】従来のアンテナ回路のブロック図
【符号の説明】
１  アンテナ
２  第１のフィルタ
３  第２のフィルタ
４  切り替え回路
５  入力端子
６，７  出力端子
【図１】
2004289595.tif 000003
【図２】
2004289595.tif 000004
【図３】
2004289595.tif 000005
【図４】
2004289595.tif 000006